(57)【特許請求の範囲】
【請求項１】
掃除具に装着される清掃用シートにおいて、
一端が開口部となった袋状の基材シートと、
前記基材シートの外面に接合され、繊維が集合してなる繊維集合体と、
前記基材シートの内面全域に接着され、被清掃部が有する隙間の形状に沿って９０度に折り曲がるように弾性変形可能であり、長尺な矩形板状であって短手方向中央部に切欠部の設けられた弾性シートと、
を備え、
前記掃除具が備える掃除具本体部が、当該清掃用シートの長手方向一端側に設けられた前記切欠部から挿入されることによって、前記掃除具に装着されることを特徴とする清掃用シート。
【請求項２】
請求項１に記載の清掃用シートにおいて、
前記繊維集合体は、前記基材シートの外面を覆うように設けられていることを特徴とする清掃用シート。
【発明の詳細な説明】
【技術分野】
【０００１】
本発明は、清掃用シートに関する。
【背景技術】
【０００２】
従来、把持部が連結された掃除具に装着されて使用される清掃用シートとして、基材シートに、繊維集合体が接合されてなるものが知られている。
このような清掃用シートが装着される掃除具においては、例えば、清掃用シートが装着される本体部分のしなり易い状態としなり難い状態とを切り替えることを可能な掃除具が提案されている（例えば、特許文献１参照）。この掃除具を用いると、しなりの程度によって、被清掃面への押圧力や清掃圧、或いは被清掃面への押圧面積を変化させることができるので、単一の掃除具を用いて清掃形態に応じた効率的な清掃を行うことができる。
【先行技術文献】
【特許文献】
【０００３】
【特許文献１】特開２００７−６８７７２号公報
【発明の概要】
【発明が解決しようとする課題】
【０００４】
しかしながら、特許文献１記載の掃除具に装着される清掃用シートは、掃除具の本体部分のしなりに追従するだけなので、本体部分がしなり難い場合、清掃用シートは家具の後ろ等にある隙間の形状に沿って入り込むことができず、当該隙間を十分に清掃することができない。
【０００５】
本発明の課題は、隙間の形状に沿って入り込んで当該隙間を十分に清掃することができる清掃用シートを提供することにある。
【課題を解決するための手段】
【０００６】
上記課題を解決するために、請求項１に記載の発明は、
掃除具に装着される清掃用シートにおいて、
一端が開口部となった袋状の基材シートと、
前記基材シートの外面に接合され、繊維が集合してなる繊維集合体と、
前記基材シートの内面全域に接着され、被清掃部が有する隙間の形状に沿って９０度に折り曲がるように弾性変形可能であり、長尺な矩形板状であって短手方向中央部に切欠部の設けられた弾性シートと、
を備え、
前記掃除具が備える掃除具本体部が、当該清掃用シートの長手方向一端側に設けられた前記切欠部から挿入されることによって、前記掃除具に装着されることを特徴とする。
【０００８】
請求項２に記載の発明は、
請求項１に記載の清掃用シートにおいて、
前記繊維集合体は、前記基材シートの外面を覆うように設けられていることを特徴とする。
【発明の効果】
【００１１】
本発明によれば、清掃用シートは、被清掃部が有する隙間の形状に沿って弾性変形可能な弾性部材を備え、当該弾性部材は、清掃用シートが掃除具に装着された状態で、少なくとも掃除具本体部の先端よりも清掃用シートの長手方向他端側に配置されている。したがって、掃除具本体部がしなり難い場合であっても、清掃用シートは、当該清掃用シートが掃除具に装着された状態で、掃除具本体部の先端よりも長手方向他端側の部分が弾性部材によってしなるため、隙間の形状に沿って入り込んで当該隙間を十分に清掃することができる。
【図面の簡単な説明】
【００１２】
【図１】本実施形態の清掃用シート及び掃除具の一例を示す平面斜視図である。
【図２】本実施形態において、清掃用シートに掃除具を装着した状態の一例を説明するための図である。
【図３】本実施形態において、掃除具に装着された清掃用シートを用いて隙間を清掃している状態の一例を示す図である。
【図４】本実施形態において、掃除具に装着された清掃用シートを用いて隙間を清掃している状態の他の一例を示す図である。
【図５】変形例１の掃除具に装着された清掃用シートを用いて隙間を清掃している状態の一例を示す図である。
【発明を実施するための形態】
【００１３】
以下に、図を参照して、本発明の実施の形態を詳細に説明する。ただし、発明の範囲は、図示例に限定されない。
本発明に係る清掃用シートは、掃除具に装着して用いる取り替え式の清掃用シートである。
なお、以下の説明では、清掃用シート１０において、長手方向一端側を後側、他端側を前側とし、短手方向一端側を左側、他端側を右側とし、前後方向及び左右方向の双方に直交する方向を上下方向とする。
【００１４】
本実施形態の清掃用シート１０は、例えば、図１及び図２に示すように、モップ状の清掃用シートであり、互いに重ね合わされた２枚の基材シート１１と、基材シート１１の一方の面（外面）に接合され、繊維１２１，…が集合してなる繊維集合体１２と、基材シート１１の他方の面（内面）に接着され、弾性変形自在な弾性シート１３と、を備えて構成される。
そして、清掃用シート１０は、例えば、図２に示すように、掃除具２０が備える掃除具本体部２１の略全体を覆うように装着されて使用される。
【００１５】
具体的には、清掃用シート１０は、挿入部１０ａから掃除具本体部２１を差し込むことによって、掃除具２０に装着されて使用される。
清掃用シート１０は、例えば、図３及び図４に示すように、被清掃部Ａにゴミ等の固形状汚れがある場合、主に繊維集合体１２で当該固形状汚れを絡め取ることによって、当該固形状汚れを取り去るようになっている。
【００１６】
基材シート１１，１１は、例えば、前後方向に長尺な矩形状を成しており、繊維集合体１２で覆われていない面同士が対向するように重ね合わされて、長手方向他端部（前端部）と短手方向両端部（左端部及び右端部）とを接着することによって、袋状に形成されている。すなわち、基材シート１１，１１により形成された袋状体の長手方向一端部（後端部）は、開口部となっている。
【００１７】
基材シート１１は、所定の繊維を繊維素材として、例えば、スパンレース、エアスルー、エアレイド、ポイントボンド、スパンボンド、ニードルパンチ等の周知の技術により製造される不織布である。
所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
なお、基材シート１１は、不織布に限ることはなく、シートであれば任意であり、例えば、織布であっても良い。
【００１８】
繊維集合体１２は、繊維１２１，…が所定の接合手段により基材シート１１に接合されることによって、形成されている。
所定の接合手段としては、例えば、ホットメルト等の公知の接着剤、ヒートシール、超音波シール、縫製、ステープラ、植毛が挙げられる。これらは単独で、或いは２種以上を組み合わせて用いることができる。
ここで、繊維１２１は、複数の繊維が集合してなる繊維束（トウ）をなしていることとする。
【００１９】
繊維集合体１２は、所定の繊維で形成された繊維束状の繊維１２１が集合してなるものである。
所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００２０】
弾性シート１３は、例えば、前後方向に長尺な矩形板状の弾性部材に、当該弾性部材の短手方向中央部における長手方向一端（後端）から長手方向略中央の位置に略矩形状の切欠部１３ａを設けることによって、形成されている。
弾性シート１３は、当該弾性シート１３の両面（上面及び下面）が、所定の接着手段により基材シート１１，１１に接着されている。したがって、清掃用シート１０においては、基材シート１１，１１により形成された袋状体の開口部と、弾性シート１３に設けられた切欠部１３ａと、により構成される挿入部１０ａから掃除具本体部２１が挿入可能となっている。
所定の接着手段としては、例えば、ホットメルト等の公知の接着剤が挙げられる。
【００２１】
弾性シート１３は、所定の樹脂を射出成型等することによって形成された弾性部材である。
所定の樹脂としては、例えば、ポリエチレン、ポリプロピレン、ポリエチレンテレフタレート等の熱可塑性樹脂、シリコンゴム、ブチレンゴム等の軟質樹脂が挙げられる。これらは単独で、或いは２種以上を組み合わせて用いることができる。
【００２２】
掃除具２０は、例えば、挿入部１０ａに挿入可能な形状の掃除具本体部２１と、掃除具本体部２１を操作するために掃除時にユーザが握る把持部２２と、を備えて構成される。
ここで、掃除具２０（掃除具本体部２１）はしなり難い部材により形成されていることとする。
【００２３】
次に、清掃用シート１０の使用方法について説明する。
【００２４】
まず、清掃用シート１０を掃除具２０に装着する。具体的には、清掃用シート１０の挿入部１０ａから掃除具２０の掃除具本体部２１を挿入することによって、例えば、図２に示すように、清掃用シート１０を掃除具２０に装着する。
そして、ユーザは、清掃用シート１０が装着された掃除具２０の把持部２２を握り、清掃用シート１０で被清掃部Ａを拭き掃除する。
【００２５】
ここで、清掃用シート１０は、被清掃部Ａが有する隙間Ｂ（家具Ａ１と家具Ａ１との間の隙間や家具Ａ１と壁Ａ２との間の隙間）に入り込んで、当該隙間Ｂを清掃できるようになっている。
具体的には、例えば、図３に示すように、家具Ａ１と家具Ａ１との間の隙間に、掃除具２０に装着された清掃用シート１０を差し込むことによって、当該隙間に清掃用シート１０を入り込ませることができる。
掃除具２０に装着された清掃用シート１０をさらに押し込むと、例えば、図４に示すように、当該清掃用シート１０は弾性シート１３によって家具Ａ１と壁Ａ２との間の隙間の形状に沿って側面視略Ｌ字状に弾性変形するため、当該隙間に清掃用シート１０を入り込ませることができる。
【００２６】
以上説明した本実施形態の清掃用シート１０によれば、基材シート１１と、基材シート１１の一面に接合され、繊維１２１，…が集合してなる繊維集合体１２と、基材シート１１の他面に接着され、被清掃部Ａが有する隙間Ｂの形状に沿って弾性変形可能な弾性シート１３と、を備え、掃除具２０が備える掃除具本体部２１が、清掃用シート１０の長手方向一端側（後端側）から挿入されることによって、掃除具２０に装着され、清掃用シート１０が掃除具２０に装着された状態で、掃除具本体部２１が配置されていない部分（掃除具本体部２１の先端よりも清掃用シート１０の長手方向他端側（前端側）の部分）が弾性シート１３によって弾性変形可能となっている。
したがって、掃除具本体部２１はしなり難い部材により形成されているが、清掃用シート１０は、当該清掃用シート１０が掃除具２０に装着された状態で、掃除具本体部２１の先端よりも前端側の部分が弾性シート１３によってしなるため、隙間Ｂの形状に沿って入り込んで当該隙間を十分に清掃することができる。
【００２７】
また、以上説明した本実施形態の清掃用シート１０によれば、弾性シート１３は、板状に形成されている。
したがって、隙間Ｂが狭くても、当該隙間Ｂに入り込むことができる。
【００２８】
また、以上説明した本実施形態の清掃用シート１０によれば、弾性シート１３は、基材シート１１で覆われ、繊維集合体１２は、基材シート１１の外面を覆うように設けられている。
すなわち、清掃用シート１０は、当該清掃用シート１０の両面に繊維集合体１２を備えているため、互いに対向して隙間Ｂを形成する２つの面を同時に清掃することができる。
【００２９】
また、以上説明した本実施形態の掃除具２０によれば、清掃用シート１０に挿入される掃除具本体部２１と、掃除時にユーザが握る把持部２２と、を備えている。
したがって、掃除具本体部２１をしなり難い部材で形成しても、清掃用シート１０が弾性シート１３によってしなるため、隙間Ｂの形状に沿って入り込んで当該隙間を十分に清掃することができる。
【００３０】
なお、本発明は、上記した実施の形態のものに限るものではなく、その要旨を逸脱しない範囲で適宜変更可能である。
【００３１】
＜変形例１＞
上記実施形態において、掃除具本体部２１をしなり難い部材によって形成するようにしたが、これに限ることはなく、清掃用シート１０が装着される掃除具の掃除具本体部は、例えば、図５に示す掃除具３０の掃除具本体部３１のように、被清掃部Ａが有する隙間Ｂの形状に沿って弾性変形可能な弾性部材によって形成したものであっても良い。
具体的には、掃除具本体部３１は、所定の樹脂を射出成型等することによって形成された弾性部材である。所定の樹脂としては、例えば、ポリエチレン、ポリプロピレン、ポリエチレンテレフタレート等の熱可塑性樹脂、シリコンゴム、ブチレンゴム等の軟質樹脂が挙げられる。これらは単独で、或いは２種以上を組み合わせて用いることができる。
【００３２】
以上説明した変形例１の掃除具３０によれば、掃除具本体部３１は、被清掃部Ａが有する隙間Ｂの形状に沿って弾性変形可能である。
すなわち、清掃用シート１０は、変形例１の掃除具３０に装着された状態で、掃除具本体部３１が配置されていない部分（掃除具本体部３１の先端よりも前端側の部分）だけでなく、例えば、図５に示すように、掃除具本体部３１が配置された部分もしなることができる。したがって、上記実施形態の掃除具２０に装着する場合と比較して、清掃用シート１０が隙間Ｂの奥まで入り込むことができるため、当該隙間Ｂをより十分に清掃することができる。
【００３３】
なお、上記した実施形態及び変形例１において、弾性シート１３を、基材シート１１の内面略全域に配置するようにしたが、これに限ることはなく、弾性シート１３は、清掃用シート１０が掃除具２０，３０に装着された状態で、少なくとも掃除具本体部２１，３１の先端よりも清掃用シート１０の長手方向他端側（前端側）に配置されていれば良い。
【００３４】
また、上記した実施形態及び変形例１において、基材シート１１，１１によって袋状体を形成するようにしたが、これに限ることはなく、基材シート１１は、例えば、弾性シート１３の両面（上面及び下面）に貼り付けられているだけであっても良い。
また、基材シート１１、繊維集合体１２、弾性シート１３、挿入部１０ａ（切欠部１３ａ）、掃除具２０，３０の形状は、上記したものに限ることはなく、任意である。
【符号の説明】
【００３５】
１０  清掃用シート
１１  基材シート
１２  繊維集合体
１３  弾性シート（弾性部材）
２０，３０  掃除具
２１，３１  掃除具本体部
２２  把持部
１２１  繊維
Ａ  被清掃部
Ｂ  隙間
【図１】
0005590840.tif 000002
【図２】
0005590840.tif 000003
【図３】
0005590840.tif 000004
【図４】
0005590840.tif 000005
【図５】
0005590840.tif 000006